(57)【特許請求の範囲】
【請求項１】
一対の矩形状の表紙片と、裏紙片と、その間に挿入される左右寸法が前記表紙片より短い矩形状の第一中間紙片および第二中間紙片からなり、前記表紙片と前記第一中間紙片と前記裏紙片を左右の一方の端縁にて揃えて第一綴じ部で綴じ、前記表紙片と前記第二中間紙片と前記裏紙片を左右の他方の端縁にて揃えて第二綴じ部で接着した冊子状送付物であって、
前記第二綴じ部の内側に前記第二綴じ部に沿って開封用ミシン目が設けられており、
前記第二中間紙片は、前記表紙片とは別体の紙片であって且つ折り畳まれていない一枚のシート状の状態で前記第二綴じ部にて前記冊子状送付物に接着されており、
前記第二中間紙片には折り込み用ミシン目が設けられており、
前記開封用ミシン目より左右の他方の端縁に設けられた前記第二綴じ部を切り離したとき、前記表紙片、前記第一中間紙片、及び前記裏紙片からなる冊子と前記第二中間紙片とに分離され、前記第二中間紙片のみが切り離されることを特徴とする冊子状送付物。
【請求項２】
左右寸法及び上下寸法が同じである一対の矩形状の表紙片と、裏紙片と、その間に挿入される上下寸法が前記表紙片と同じで左右寸法が前記表紙片より短い矩形状の第一中間紙片および第二中間紙片からなり、前記表紙片と前記第一中間紙片と前記裏紙片を左右の一方の端縁にて揃えて第一綴じ部で綴じ、前記表紙片と前記第二中間紙片と前記裏紙片を左右の他方の端縁にて揃えて第二綴じ部で接着した冊子状送付物であって、
前記第二綴じ部の内側に前記第二綴じ部に沿って開封用ミシン目が設けられており、
前記第二中間紙片には上下方向及び左右方向に沿った折り込み用ミシン目が設けられており、
前記冊子状送付物は、各紙片の上下の両方の端縁に沿った接着部は備えないことにより、前記開封用ミシン目より左右の他方の端縁に設けられた前記第二綴じ部を切り離したとき、前記表紙片、前記第一中間紙片、及び前記裏紙片からなる冊子と前記第二中間紙片とに分離され、前記第二中間紙片のみが切り離されることを特徴とする冊子状送付物。
【請求項３】
左右寸法及び上下寸法が同じである一対の矩形状の表紙片と、裏紙片と、その間に挿入される上下寸法が前記表紙片と同じで左右寸法が前記表紙片より短い矩形状の第一中間紙片および第二中間紙片からなり、前記表紙片と前記第一中間紙片と前記裏紙片を左右の一方の端縁にて揃えて第一綴じ部で綴じ、前記表紙片と前記第二中間紙片と前記裏紙片を左右の他方の端縁にて揃えて第二綴じ部で接着した冊子状送付物であって、
前記第二綴じ部の内側に前記第二綴じ部に沿って開封用ミシン目が設けられており、
前記第二中間紙片は、前記表紙片とは別体の紙片であって且つ折り畳まれていない一枚のシート状の状態で前記第二綴じ部にて前記冊子状送付物に接着されており、
前記第二中間紙片には上下方向及び左右方向に沿った折り込み用ミシン目が設けられており、
前記冊子状送付物は、各紙片の上下の両方の端縁に沿った接着部は備えないことにより、前記開封用ミシン目より左右の他方の端縁に設けられた前記第二綴じ部を切り離したとき、前記表紙片、前記第一中間紙片、及び前記裏紙片からなる冊子と前記第二中間紙片とに分離され、前記第二中間紙片のみが切り離されることを特徴とする冊子状送付物。
【請求項４】
前記第二中間紙片は、前記折り込み用ミシン目により前記第二中間紙片を上下に二分割する上下折り込み用ミシン目線と、前記上下折り込み用ミシン目線に直交し、前記第二中間紙片を左右に三分割以上に分割する左右折り込み用ミシン目線が形成され６個以上の区画に区画されており、
前記上下折り込み用ミシン目線上において上側の左右両端区画間、及び下側の左右両端区画間に挟まれた上側区画と下側区画が接する部分にそれぞれ切込が設けられ、前記切込が左右両端の上側区画と下側区画が接する部分に設けられた前記上下折り込み用ミシン目線側にそれぞれ少し伸びて形成されていることを特徴とする請求項１乃至請求項３のいずれか一項に記載の冊子状送付物。
【請求項５】
前記第二中間紙片は、前記折り込み用ミシン目により前記第二中間紙片を左右に二分割する左右折り込み用ミシン目線と、前記左右折り込み用ミシン目線に直交し、前記第二中間紙片を上下に三分割以上に分割する上下折り込み用ミシン目線が形成され６個以上の区画に区画されており、
前記左右折り込み用ミシン目線上において左側の上下両端区画間、及び右側の上下両端区画間に挟まれた左側区画と右側区画が接する部分にそれぞれ切込が設けられ、前記切込が上下両端の左側区画と右側区画が接する部分に設けられた前記左右折り込み用ミシン目線側にそれぞれ少し伸びて形成されていることを特徴とする請求項１乃至請求項３のいずれか一項に記載の冊子状送付物。
【発明の詳細な説明】
【技術分野】
【０００１】
本発明は、一対の表紙片と裏紙片と、その間に挿入される第一中間紙片と第二中間紙片とからなり、一方の端縁にて表紙片と第一中間紙片と裏紙片が第一綴じ部で綴じられ、他方の端縁にて表紙片と裏紙片と、その間に挿入される第二中間紙片が第二綴じ部で綴じられ、第二綴じ部を切り離して開封したとき、第二中間紙片のみが切り離され折り畳んで持ち運べるようにした冊子状送付物に関し、郵送、宅配等にて送付可能な冊子状送付物に関する。
【背景技術】
【０００２】
従来、商品カタログ、パンフレット等と共に顧客への特典情報を綴じ込み、冊子状送付物としてダイレクトメール等に利用することは広く知られている（例えば、特許文献１参照）。特許文献１の冊子状送付物は商品カタログ、パンフレット、特典情報等を冊子とすることにより、デパートや旅行会社、通販会社といった送り手側にとって一度に多くの情報を顧客に提供することができ、一方、冊子を受け取った顧客側にとっては、カタログ、パンフレット、特典情報が散逸することがないので便利なものである。
【０００３】
しかしながら、例えばキャンペーンやイベント等の特典情報が綴じ込まれていた場合、キャンペーンやイベント等に参加して特典を享受するには冊子を持ち運ばなければならず不便なものであった。また、綴じ込まれているので特典情報を見落とすことがあるという問題もある。
【先行技術文献】
【特許文献】
【０００４】
【特許文献１】特開２００８−６６６６号公報
【発明の概要】
【発明が解決しようとする課題】
【０００５】
そこで本発明は、上記の問題点に鑑みてなされたものであり、多くの情報が提供でき、顧客が特典情報を見落とし難く、また、特典情報のみを持ち運ぶことができる冊子状送付物を提供することである。
【課題を解決するための手段】
【０００６】
本発明は、上記課題を達成するために、請求項１記載の本発明の冊子状送付物は、一対の矩形状の表紙片と、裏紙片と、その間に挿入される左右寸法が前記表紙片より短い矩形状の第一中間紙片および第二中間紙片からなり、前記表紙片と前記第一中間紙片と前記裏紙片を左右の一方の端縁にて揃えて第一綴じ部で綴じ、前記表紙片と前記第二中間紙片と前記裏紙片を左右の他方の端縁にて揃えて第二綴じ部で接着した冊子状送付物であって、前記第二綴じ部の内側に前記第二綴じ部に沿って開封用ミシン目が設けられており、前記第二中間紙片は、前記表紙片とは別体の紙片であって且つ折り畳まれていない一枚のシート状の状態で前記第二綴じ部にて前記冊子状送付物に接着されており、前記第二中間紙片には折り込み用ミシン目が設けられており、前記開封用ミシン目より左右の他方の端縁に設けられた前記第二綴じ部を切り離したとき、前記表紙片、前記第一中間紙片、及び前記裏紙片からなる冊子と前記第二中間紙片とに分離され、前記第二中間紙片のみが切り離されることを特徴とするものである。
【０００７】
また、請求項２記載の本発明の冊子状送付物は、左右寸法及び上下寸法が同じである一対の矩形状の表紙片と、裏紙片と、その間に挿入される上下寸法が前記表紙片と同じで左右寸法が前記表紙片より短い矩形状の第一中間紙片および第二中間紙片からなり、前記表紙片と前記第一中間紙片と前記裏紙片を左右の一方の端縁にて揃えて第一綴じ部で綴じ、前記表紙片と前記第二中間紙片と前記裏紙片を左右の他方の端縁にて揃えて第二綴じ部で接着した冊子状送付物であって、前記第二綴じ部の内側に前記第二綴じ部に沿って開封用ミシン目が設けられており、前記第二中間紙片には上下方向及び左右方向に沿った折り込み用ミシン目が設けられており、前記冊子状送付物は、各紙片の上下の両方の端縁に沿った接着部は備えないことにより、前記開封用ミシン目より左右の他方の端縁に設けられた前記第二綴じ部を切り離したとき、前記表紙片、前記第一中間紙片、及び前記裏紙片からなる冊子と前記第二中間紙片とに分離され、前記第二中間紙片のみが切り離されることを特徴とするものである。
【０００８】
また、請求項３記載の本発明の冊子状送付物は、左右寸法及び上下寸法が同じである一対の矩形状の表紙片と、裏紙片と、その間に挿入される上下寸法が前記表紙片と同じで左右寸法が前記表紙片より短い矩形状の第一中間紙片および第二中間紙片からなり、前記表紙片と前記第一中間紙片と前記裏紙片を左右の一方の端縁にて揃えて第一綴じ部で綴じ、前記表紙片と前記第二中間紙片と前記裏紙片を左右の他方の端縁にて揃えて第二綴じ部で接着した冊子状送付物であって、前記第二綴じ部の内側に前記第二綴じ部に沿って開封用ミシン目が設けられており、前記第二中間紙片は、前記表紙片とは別体の紙片であって且つ折り畳まれていない一枚のシート状の状態で前記第二綴じ部にて前記冊子状送付物に接着されており、前記第二中間紙片には上下方向及び左右方向に沿った折り込み用ミシン目が設けられており、前記冊子状送付物は、各紙片の上下の両方の端縁に沿った接着部は備えないことにより、前記開封用ミシン目より左右の他方の端縁に設けられた前記第二綴じ部を切り離したとき、前記表紙片、前記第一中間紙片、及び前記裏紙片からなる冊子と前記第二中間紙片とに分離され、前記第二中間紙片のみが切り離されることを特徴とするものである。
【０００９】
また、請求項４記載の本発明は、請求項１乃至請求項３のいずれか一項に記載の冊子状送付物において、前記第二中間紙片は、前記折り込み用ミシン目により前記第二中間紙片を上下に二分割する上下折り込み用ミシン目線と、前記上下折り込み用ミシン目線に直交し、前記第二中間紙片を左右に三分割以上に分割する左右折り込み用ミシン目線が形成され６個以上の区画に区画されており、前記上下折り込み用ミシン目線上において上側の左右両端区画間、及び下側の左右両端区画間に挟まれた上側区画と下側区画が接する部分にそれぞれ切込が設けられ、前記切込が左右両端の上側区画と下側区画が接する部分に設けられた前記上下折り込み用ミシン目線側にそれぞれ少し伸びて形成されていることを特徴とするものである。
【００１０】
また、請求項５記載の本発明は、請求項１乃至請求項３のいずれか一項に記載の冊子状送付物において、前記第二中間紙片は、前記折り込み用ミシン目により前記第二中間紙片を左右に二分割する左右折り込み用ミシン目線と、前記左右折り込み用ミシン目線に直交し、前記第二中間紙片を上下に三分割以上に分割する上下折り込み用ミシン目線が形成され６個以上の区画に区画されており、前記左右折り込み用ミシン目線上において左側の上下両端区画間、及び右側の上下両端区画間に挟まれた左側区画と右側区画が接する部分にそれぞれ切込が設けられ、前記切込が上下両端の左側区画と右側区画が接する部分に設けられた前記左右折り込み用ミシン目線側にそれぞれ少し伸びて形成されていることを特徴とするものである。
【発明の効果】
【００１１】
本発明は、一対の矩形状の表紙片と、裏紙片と、その間に挿入される左右寸法が表紙片より短い矩形状の第一中間紙片および第二中間紙片からなり、表紙片と第一中間紙片と裏紙片を左右の一方の端縁にて揃えて第一綴じ部で綴じ、表紙片と第二中間紙片と裏紙片を左右の他方の端縁にて揃えて第二綴じ部で接着した冊子状送付物であって、第二綴じ部の内側に第二綴じ部に沿って開封用ミシン目が設けられており、開封用ミシン目より第二綴じ部を切り離したとき、表紙片、第一中間紙片、及び裏紙片からなる冊子と第二中間紙片とに分離され、第二中間紙片のみが切り離される構成とすることにより、第二中間紙片に特典情報を掲載することにより、特典情報が顧客の目に確実に触れるので見落とし難い上に特典情報のみを持ち運ぶことができる。また、第二中間紙片に折り込み用ミシン目を設けることにより折り畳むことでき、携帯に便利なものとなる。
【００１２】
請求項４及び請求項５に記載の本発明は、第二中間紙片に上下折り込み用ミシン目線、左右折り込み用ミシン目線及び切込を設けた構成とすることにより、折り込み用ミシン目線に沿って容易に折り畳め、コンパクトになるため優れた携帯性が得られる。
【００１３】
また、請求項４に記載の本発明は、切込が左右両端の上側区画と下側区画が接する部分に設けられた上下折り込み用ミシン目線側にそれぞれ少し伸びて形成されている構成とすることにより、請求項５に記載の本発明は、切込が上下両端の左側区画と右側区画が接する部分に設けられた左右折り込み用ミシン目線側にそれぞれ少し伸びて形成されている構成とすることにより、折り込み易くなると共に折り込まれたときの角部が破れ難くなる効果が得られ耐久性が向上する。
【図面の簡単な説明】
【００１４】
【図１】本発明の冊子状送付物の第一実施形態を示す平面図である。
【図２】図１の分解斜視図である。
【図３】図１におけるＸ−Ｘ断面図である。
【図４】本発明の冊子状送付物の開封した状態を示す断面図である。
【図５】本発明の冊子状送付物の第一実施形態の第二中間紙片の一方の面を示す平面図である。
【図６】本発明の冊子状送付物の第一実施形態の第二中間紙片の他方の面を示す平面図である。
【図７】第一実施形態の第二中間紙片の折り込み方法の一例を示す説明図である。
【図８】本発明の冊子状送付物の第二実施形態の第二中間紙片の平面図である。
【図９】第二実施形態の第二中間紙片の折り込み方法の一例を示す説明図である。
【図１０】本発明の冊子状送付物の第三実施形態の第二中間紙片の平面図である。
【図１１】本発明の冊子状送付物の第四実施形態の第二中間紙片の平面図である。
【図１２】本発明の冊子状送付物の製造方法を説明する斜視図である。
【発明を実施するための形態】
【００１５】
以下、図面を参照しながら本発明の実施形態について、説明する。
図１は本発明の冊子状送付物の第一実施形態を示す平面図、図２は図１の分解斜視図、図３は図１におけるＸ−Ｘ断面図、図４は本発明の冊子状送付物の開封した状態を示す断面図、図５は本発明の冊子状送付物の第一実施形態の第二中間紙片の一方の面を示す平面図、図６は本発明の冊子状送付物の第一実施形態の第二中間紙片の他方の面を示す平面図、図７は第一実施形態の第二中間紙片の折り込み方法の一例を示す説明図、図８は本発明の冊子状送付物の第二実施形態の第二中間紙片の平面図、図９は第二実施形態の第二中間紙片の折り込み方法の一例を示す説明図、図１０は本発明の冊子状送付物の第三実施形態の第二中間紙片の平面図、図１１は本発明の冊子状送付物の第四実施形態の第二中間紙片の平面図、図１２は本発明の冊子状送付物の製造方法を説明する斜視図を示す。図中の１は冊子状送付物、１’は冊子、２は第一綴じ部、２ａは開封用ミシン目より右端縁に至る左右の幅、３は第二綴じ部、３ａはミシン目より左端縁に至る左右の幅、３’は切り離された第二綴じ部、４は開封用ミシン目、５はミシン目、１０は表紙片、１１は差出料金表示、１２は送り先、宛名記載部、１３は広告表示部、１４は差出人記載部、２０は第一中間紙片、３０は第二中間紙片、３０’は切り離された第二中間紙片、３１は折り込み用ミシン目、３１１、３１１ａ、３１１ｂは上下折り込み用ミシン目線、３１２、３１２ａ〜３１２ｅは左右折り込み用ミシン目線、３１３、３１３ａ、３１３ｂは左右折り込み用ミシン目線、３１４、３１４ａ〜３１４ｅは上下折り込み用ミシン目線、３２Ｌは上側の左端区画、３２Ｒは上側の右端区画、３３Ｌは下側の左端区画、３３Ｒは下側の右端区画、３４は切込、４０は裏紙片、５０は移送孔、６０はマージナル部をそれぞれ示す。
【００１６】
図１は本発明に係る冊子状送付物の第一実施形態を示す平面図であって、表紙片１０側から見た平面図である。図１に示すように本発明の冊子状送付物１は、ダイレクトメールに用いた例を示し、表紙片１０の上面には差出料金表示１１や受取人である顧客の送り先、宛名記載部１２や提供する情報の広告表示部１３や送り手の社名を記載する差出人記載部１４等が表示されている。
【００１７】
また、冊子状送付物１は左右の一方の左端縁に第一綴じ部２、左右の他方の右端縁に第二綴じ部３を備え、第二綴じ部３側を開封することにより表紙片１０と裏紙片４０の間に挿入された紙片に掲載された各種情報が閲覧できるようになっている。
【００１８】
図２は図１の分解斜視図、図３は図１におけるＸ−Ｘ断面図である。図２、図３を参照しながら本発明の冊子状送付物１の第一実施形態の構造について説明する。図２、図３に示すように冊子状送付物１は一対の矩形状の表紙片１０と、裏紙片４０と、その間に挿入される第一中間紙片２０と第二中間紙片３０とで構成され、第一中間紙片２０及び第二中間紙片３０は上下寸法が表紙片１０と同寸で且つ左右寸法が表紙片１０より短くされており、表紙片１０と第一中間紙片２０と裏紙片４０を左右の一方の左端縁にて揃えて第一綴じ部２で綴じ、表紙片１０と第二中間紙片３０と裏紙片４０を左右の他方の右端縁にて揃えて第二綴じ部３で接着されている。第一実施形態では第一中間紙片２０として２０ａ、２０ｂ、２０ｃの３枚とした例を示したが、送り手側の情報提供状況により増減することができる。また、第一実施形態では横長を示したが縦長にすることもできる。なお、本願において第一綴じ部２と第二綴じ部３が互いに向き合う方向を左右方向、この左右方向に直交する方向を上下方向と呼称し、第一綴じ部２側を一方、あるいは左側、第二綴じ部３側を他方、あるいは右側と呼称し、上下方向において、図１に示す冊子状送付物１の上下を上側、下側と呼称することとする。前記呼称は、説明上のものであって、第一綴じ部２を右側、第二綴じ部３を左側としてもよい。また、第一実施形態では表紙片１０と、裏紙片４０と、その間に挿入される第一中間紙片２０と第二中間紙片３０の上下寸法を同寸法の例を示したが、同寸法でなくてもよい。例えば、第一中間紙片２０と第二中間紙片３０の上下寸法を短くすることもできる。
【００１９】
また、第二綴じ部３の内側に第二綴じ部３に沿って開封用ミシン目４が設けられており、冊子状送付物１を受け取った顧客は第二綴じ部３より開封用ミシン目４に沿って容易に開封でき、第二綴じ部３を切り離したとき、表紙片１０、第一中間紙片２０、及び裏紙片４０からなる冊子１’（図４参照）と第二中間紙片３０’ （図４参照）のみに切り離される。また、第二中間紙片３０には折り込み用ミシン目３１が設けられており、切り離された第二中間紙片３０’は折り込み用ミシン目３１で折り畳めるので持ち運びに便利である。また、第一綴じ部２の内側に第一綴じ部２に沿ってミシン目５が設けられている。ミシン目５は冊子１’の第二中間紙片２０の各頁を捲った状態を維持できるので好ましいものである。開封用ミシン目４は切り取り易くする必要があり非切目（アンカット）に対し切目（カット）を長くすることが好ましい。さらに、開封用ミシン目４より第二綴じ部３を含み右端縁に至る左右の幅３ａは、ミシン目５より第一綴じ部２を含み左端縁に至る左右の幅２ａより広くする方が好ましく、第二綴じ部３を摘み開封することが容易となる。ミシン目５は各ページを捲った状態を維持できればよく、任意に形成できる。なお、第一中間紙片２０の左右寸法は右端が開封用ミシン目４より少し内側となるようにし、第二中間紙片３０の左右寸法は左端がミシン目５より少し内側となるようにすることが好ましい。
【００２０】
次に、図２、図３、図４を用いて、本発明の冊子状送付物１の使用方法について説明する。図２、図３に示すように送り手側から送付された本発明の冊子状送付物１を受け取った顧客は、冊子状送付物１の右側に設けられた第二綴じ部３を摘み、開封用ミシン目４に沿って第二綴じ部３を切り離し、切り離された第二綴じ部３’を取り除くと表紙片１０、第一中間紙片２０、及び裏紙片４０が第一綴じ部２で綴じられた冊子１’と切り離された第二中間紙片３０’とに分離される。図４にその状態を示す。切り離された第二中間紙片３０’のみが切り離されて取り出されるので例えば特典情報やクーポン券等を掲載することにより顧客の目に触れるので見落とされることがない。さらに、特典情報やクーポン券等が掲載された切り離された第二中間紙片３０’のみを持ち運ぶことができ、その上、第二中間紙片３０には折り込み用ミシン目３１により折り畳むことができるので携帯に便利である。
【００２１】
切り離された冊子１’には図示しないが表紙片１０、第一中間紙片２０、及び裏紙片４０の各紙片の片面あるいは両面に送り手側が顧客に提供したい情報、例えば、各種の商品紹介、サービス内容あるいはキャンペーン、イベント情報等を掲載しておくことにより第一綴じ部２を綴じ元として見開き状に各頁を開くことができるので見やすく、また見終わった後も綴じられているために散逸することがなく、保管し易いものである。また、第一中間紙片２０を複数枚とするとき、表紙片１０側から裏紙片４０に向かって順に左右寸法を大きくすることにより右端に余白部を設け見出しを設けることもできる。
【００２２】
つぎに、図５〜図１１を参照しながら本発明の冊子状送付物１の第二中間紙片３０の構成及び折り畳み方法について例を示しながら説明する。なお、図５〜図１１は切り離された第二中間紙片３０’の状態を示しているが説明においては第二中間紙片３０と呼称する。図５は本発明の冊子状送付物１の第一実施形態の第二中間紙片３０の一方の面を示す平面図である。図中の丸数字は頁番号を付したものであり、以下、各頁を頁番号で示す。図５に示すように第一実施形態の第二中間紙片３０は、折り込み用ミシン目３１により第二中間紙片３０を上下に二分割する上下折り込み用ミシン目線３１１と、上下折り込み用ミシン目線３１１に直交し、第二中間紙片３０を左右に六分割する５本の左右折り込み用ミシン目線３１２ａ、３１２ｂ、３１２ｃ、３１２ｄ、３１２ｅが形成され、折り込み用ミシン目線により１２個の区画に区画されており、上下折り込み用ミシン目線３１１上において上側の左端区画３２Ｌ（１頁）と右端区画３２Ｒ（８頁）間に挟まれた上側区画（左から１２、１１、１０、９頁の４区画）と、下側の左端区画３３Ｌ（２頁）と右端区画３３Ｒ（７頁）間に挟まれた下側区画（左から３、４、５、６頁の４区画）が接する部分に切込３４が設けられている。
【００２３】
切込３４は左右方向に連続している。また、切込３４の左端は、上側の左端区画３２Ｌ（１頁）と下側の左端区画３３Ｌ（２頁）が接する部分に設けられた上下折り込み用ミシン目線３１１ａ側に少し伸びて形成されており、切込３４の右端は、上側の右端区画３２Ｒ（８頁）と下側の右端区画３３Ｒ（７頁）が接する部分に設けられた上下折り込み用ミシン目線３１１ｂ側に少し伸びて形成されている。つまり切込３４の左端は１頁と１２頁及び２頁と３頁とを区画する左右折り込み用ミシン目線３１２ａを超え少し左端側に伸びており、切込３４の右端は８頁と９頁及び６頁と７頁とを区画する左右折り込み用ミシン目線３１２ｅを超え少し右端側に伸びている。そうすることにより後述する折り込み易くなる効果と折り込まれたときの角部が破れにくいという効果が得られる。
【００２４】
図５において第二中間紙片３０の各区画が折り畳まれて各頁となる面付は一例を示すものでこれに限定されるものではない。図５は上側の左端より１、１２、１１、１０、９、８頁が順に配置され、下側には左端より順に２〜７頁が配置され、天部（折り畳んで冊子としたときの上部となる部分をいう。）突合せとなっている。１、２、３、１２頁の左右寸法は、４〜１１頁の左右寸法より少し大きくされている。そうすることにより折り込み用ミシン目３１で折り畳んだとき、１頁と１２頁及び２頁と３頁とを区画する左右折り込み用ミシン目線３１２の部分に背表紙となる部分を設けることができ、他の折り畳まれて重ねられた４〜１１頁の厚みを背表紙となる部分で吸収できるので折り皺が発生することもなく綺麗に折り畳める。１〜１２頁の左右寸法を同じにすると折り畳んだとき、冊子１’の外側頁となる１、２、３、１２頁の左右寸法が折り畳まれた４〜１１頁の厚みにより４〜１１頁の左右寸法より実質的に短くなるので体裁が悪い。
【００２５】
さらに上下折り込み用ミシン目線３１１ａ、３１１ｂ及び左右折り込み用ミシン目線３１２ａ〜３１２ｅと第二中間紙片３０の外周との１２箇所の交点はアンカットとすることが好ましい。また、左右折り込み用ミシン目線３１２ａ〜３１２ｅと切込３４との５箇所の交点はアンカットとすることが好ましい。そうすることにより第二中間紙片３０を折り畳む操作と一枚に広げる操作とを繰り返しても角部から破れることが防げる。前者のアンカット例の拡大図を（イ）の円内に示し、後者のアンカット例の拡大図を（ロ）の円内に示す。なお、図５に示すように折り込み用ミシン目線において、山折りとなる部分を破線で示し、谷折りとなる部分を一点鎖線で示した。
【００２６】
図６は本発明の冊子状送付物１の第一実施形態の第二中間紙片３０の他方の面の平面図であって、図５に示す第二中間紙片３０を上下に反転させた状態の裏面を示す。図６に示すように第二中間紙片３０の裏面（他方の面）には、例えば、島めぐりのマップが全面に掲載されている。折り畳むと表面（一方の面）の各頁が順に重ねられた冊子となり、広げると裏面（他方の面）の全面に島のマップが広がり一目で一覧できるようになっている。図５に示す表面には図示しないが各頁に島の観光スポット、お食事処、宿、土産物等の情報やクーポン券等の特典情報が掲載されている。
【００２７】
図７は第一実施形態の第二中間紙片３０の折り込み方法の一例を示す説明図である。図７（イ）に示すように第二中間紙片３０を左右折り込み用ミシン目線３１２ｅで谷折り（一点鎖線で示す。）、左右折り込み用ミシン目線３１２ｄで山折り（破線で示す。）、左右折り込み用ミシン目線３１２ｃで谷折りし、３〜７頁、１２〜８頁を折り重ねる。つぎに上下折り込み用ミシン目線３１１ａ、３１１ｂで山折りし、１頁を２頁に折り重ね、折り重ねられた１２〜８頁の８頁を折り重ねられた３〜７頁の７頁に折り重ね図７（ロ）の状態にする。最後に重ねられた左右折り込み用ミシン目線３１２ａを中心として回動して折り曲げ折り重ねられた１、２頁の２頁と折り重ねられた３〜１２頁の３頁とを重ねて折り畳み操作が完了となり、図７（ハ）に示す１２頁からなる冊子１’が形成される。
【００２８】
図８は本発明の冊子状送付物の第二実施形態の第二中間紙片の平面図である。図８に示すように第二実施形態の第二中間紙片３０は、折り込み用ミシン目３１により第二中間紙片３０を上下に二分割する上下折り込み用ミシン目線３１１と、上下折り込み用ミシン目線３１１に直交し、第二中間紙片３０を左右に四分割する３本の左右折り込み用ミシン目線３１２ａ、３１２ｂ、３１２ｃが形成され、折り込み用ミシン目線により８個の区画に区画されており、上下折り込み用ミシン目線３１１上において上側の左端区画３２Ｌ（１頁）と右端区画３２Ｒ（６頁）間に挟まれた上側区画（左から８、７頁の２区画）と、下側の左端区画３３Ｌ（２頁）と右端区画３３Ｒ（５頁）間に挟まれた下側区画（左から３、４頁の４区画）が接する部分に切込３４が設けられている。第二実施形態の第二中間紙片は左右に四分割された点で左右に六分割された第一実施形態の第二中間紙片と構成が異なる。その他については第一実施形態の第二中間紙片と同様であり同じ符号を付して説明を省略する。
【００２９】
図９は第二実施形態の第二中間紙片の折り込み方法の一例を示す説明図である。図９（イ）に示すように第二中間紙片３０を左右折り込み用ミシン目線３１２ｃで谷折り（一点鎖線で示す。）、左右折り込み用ミシン目線３１２ｂで山折り（破線で示す。）し、３〜５頁、８〜６頁を折り重ねる。つぎに上下折り込み用ミシン目線３１１ａ、３１１ｂで山折りし、１頁を２頁に折り重ね、折り重ねられた８〜６頁の６頁を折り重ねられた３〜５頁の５頁に折り重ね図９（ロ）の状態にする。最後に重ねられた左右折り込み用ミシン目線３１２ａを中心として回動して折り曲げ折り重ねられた１、２頁の２頁と折り重ねられた３〜８頁の３頁とを重ねて折り畳み操作が完了となり、図９（ハ）に示す８頁からなる冊子１’が形成される。
【００３０】
図１０は本発明の冊子状送付物の第三実施形態の第二中間紙片の平面図である。図１０に示すように第三実施形態の第二中間紙片３０は、折り込み用ミシン目３１により第二中間紙片３０を左右に二分割する左右折り込み用ミシン目線３１３と、左右折り込み用ミシン目線３１３に直交し、第二中間紙片３０を上下に六分割する５本の上下折り込み用ミシン目線３１４ａ、３１４ｂ、３１４ｃ、３１４ｄ、３１４ｅが形成され、折り込み用ミシン目線により１２個の区画に区画されており、左右折り込み用ミシン目線３１３上において左側の下端区画３２Ｌ（１頁）と上端区画３２Ｒ（８頁）間に挟まれた左側区画（下から１２、１１、１０、９頁の４区画）と、右側の下端区画３３Ｌ（２頁）と上端区画３３Ｒ（７頁）間に挟まれた右側区画（下から３、４、５、６頁の４区画）が接する部分に切込３４が設けられている。第三実施形態の第二中間紙片は第一実施形態の第二中間紙片の各頁の面付けを横付から縦付にしたものであり、その他は第一実施形態の第二中間紙片と同じであり、同符号を付して説明を省略する。
【００３１】
図１１は本発明の冊子状送付物の第四実施形態の第二中間紙片の平面図である。図１１に示すように第四実施形態の第二中間紙片３０は、折り込み用ミシン目３１により第二中間紙片３０を左右に二分割する左右折り込み用ミシン目線３１３と、左右折り込み用ミシン目線３１３に直交し、第二中間紙片３０を上下に四分割する３本の上下折り込み用ミシン目線３１４ａ、３１４ｂ、３１４ｃが形成され、折り込み用ミシン目線により８個の区画に区画されており、左右折り込み用ミシン目線３１３上において左側の下端区画３２Ｌ（１頁）と上端区画３２Ｒ（６頁）間に挟まれた左側区画（下から８、７頁の２区画）と、右側の下端区画３３Ｌ（２頁）と上端区画３３Ｒ（５頁）間に挟まれた右側区画（下から３、４頁の２区画）が接する部分に切込３４が設けられている。第四実施形態の第二中間紙片は第二実施形態の第二中間紙片の各頁の面付けを横付から縦付にしたものであり、その他は第二実施形態の第二中間紙片と同じであり、同符号を付して説明を省略する。
【００３２】
つぎに図１２を参照しながら本発明の冊子状送付物を製造する一方法について説明する。本発明の冊子状送付物を構成する各紙片は製造時において、各紙片は図２に記す上下方向に連続したシートとなっており、表紙片１０、第二中間紙片３０、裏紙片４０には両端縁に移送孔５０を有するマージナル部６０が設けられており、第一中間紙片２０となる２０ａ、２０ｂ、２０ｃの各紙片には第一綴じ部２側の端縁に移送孔５０を有するマージナル部６０が設けられており、移送孔５０で各シートが連続的に送られるようになっている。まず、表紙片１０、第一中間紙片２０、第二中間紙片３０、裏紙片４０は、それぞれの紙片が連続したシート単位で片面もしくは両面に印刷見当合せして印刷する。開封用ミシン目４、必要によりミシン目５、及び折り込み用ミシン目３１のうち、流れ方向となる左右折り込み用ミシン目線３１２、３１３は印刷時に形成されるとともに、両端縁または第一綴じ部２側の端縁に設けられたマージナル部６０に移送孔５０が設けられる。印刷後、コレーター（丁合機）には、表紙片１０の連続シート、第一中間紙片２０の連続シート、第二中間紙片３０の連続シート、裏紙片４０の連続シートが配される。
【００３３】
それぞれの連続シートはそれぞれに設けられた移送孔５０をコレーターのトラックピンに係合させて移送されて表紙片１０、第一中間紙片２０、第二中間紙片３０、裏紙片４０の順に丁合される。丁合時に第二中間紙片３０の連続シートには上下折り込み用ミシン目線３１１ａ、３１１ｂ（図５参照）、及び切込３４（図５参照）が設けられると共に一方の端は第一綴じ部２より内側の所定位置でスリットされる。
【００３４】
その後、前後左右の見当が合わされ丁合された表紙片１０、第一中間紙片２０、裏紙片４０の第一綴じ部２にライングルーを塗布して接着させて綴じられ、表紙片１０、第二中間紙片３０、裏紙片４０の第二綴じ部３にライングルーを塗布して接着させて綴じられる。そして、両端のマージナル部６０がスリット（図１２の一点鎖線で示す）して取り除かれると共に第一綴じ部２及び第二綴じ部３が対向する方向に対して直交する方向に所定位置・所定寸法で裁断され図１に示す冊子状送付物１が製造される。
なお、第一綴じ部２を右側、第二綴じ部３を左側にする場合には第一中間紙片２０の各紙片２０ａ、２０ｂ、２０ｃには右側端縁に移送孔５０を有するマージナル部６０を設け、第二中間紙片３０には左側端縁に移送孔５０を有するマージナル部６０を設ければよい。また、第一中間紙片２０は第二中間紙片３０と同様に両端縁にマージナル部６０を設けた構成としてもよい。この場合、第二中間紙片３０と同じように、いずれか一方の端は第二綴じ部３より内側の所定位置でスリットする。
【実施例】
【００３５】
〔実施例１〕
表紙片及び裏表紙に坪量９０ｋｇ／四六判（１０４．７ｇ／ｍ2 ）の上質紙、第一中間紙片に坪量７０ｋｇ／四六判（８１．４ｇ／ｍ2 ）の上質紙、第二中間紙片に坪量１０４．７ｇ／ｍ2 の耐水紙を用い、上から順に表紙片１０、第一中間紙片２０、第二中間紙片３０、裏紙片４０を順に配して外寸法左右１５．２インチ、上下１０インチ、第一綴じ部２の幅寸法０．３インチ、第二綴じ部３の幅寸法０．５インチの図１に示す冊子状送付物１を作製した。
第一中間紙片２０は左右寸法１３．５、１３．９、１４．３インチの３枚とし、表紙片１０側から裏紙片４０側に向かって左右寸法が大きくなる順に配すると共に右端の余白に見出しを設けた。第二中間紙片３０は左右寸法３７６．７ｍｍ（綴じ代０．５インチ含む）とし上下折り込み用ミシン目線３１１、左右折り込み用ミシン目線３１２、切込３４を設け、１２区画とし図５に示す形態とした。各頁の面付けは図５に示す通りとし、１、２、３、４頁の左右寸法は６３ｍｍとし、３〜１２頁の左右寸法は５９．５ｍｍとした。第一綴じ部２の内側にカット１ｍｍ、アンカット１ｍｍのミシン目５を設け、第二綴じ部３の内側にカット２ｍｍ、アンカット１ｍｍの開封用ミシン目４を設けた。
【００３６】
実施例１で作製した冊子状送付物１の第二綴じ部３を摘み、開封用ミシン目４に沿って第二綴じ部３を切り離し取り除くと表紙片１０、第一中間紙片２０、及び裏紙片４０が第一綴じ部２で綴じられた冊子１’と切り離された第二中間紙片３０’とに分離することができた。そして、切り離された第二中間紙片３０’のみを容易に取り出すことができ、一目で掲載された特典情報が確認でき見落とすことはなかった。また、切り離された第二中間紙片３０’を折り込み用ミシン目３１により折り畳む動作と１枚に広げる動作を１回の操作として２０回繰り返したが冊子に折り皺が発生することなく綺麗に折り畳め、また、角部が破れることもなかった。
【符号の説明】
【００３７】
１                            冊子状送付物
１’                          冊子
２                            第一綴じ部
２ａ                          ミシン目より左端縁に至る左右の幅
３                            第二綴じ部
３ａ                          開封用ミシン目より右端縁に至る左右の幅
３’                          切り離された第二綴じ部
４                            開封用ミシン目
５                            ミシン目
１０                          表紙片
１１                          差出料金表示
１２                          送り先、宛名記載部
１３                          広告表示部
１４                          差出人記載部
２０                          第一中間紙片
３０                          第二中間紙片
３０’                        切り離された第二中間紙片
３１                          折り込み用ミシン目
３１１、３１１ａ、３１１ｂ    上下折り込み用ミシン目線
３１２、３１２ａ〜３１２ｅ    左右折り込み用ミシン目線
３１３、３１３ａ、３１３ｂ    左右折り込み用ミシン目線
３１４、３１４ａ〜３１４ｅ    上下折り込み用ミシン目線
３２Ｌ                        上側の左端区画
３２Ｒ                        上側の右端区画
３３Ｌ                        下側の左端区画
３３Ｒ                        下側の右端区画
３４                          切込
４０                          裏紙片
５０                          移送孔
６０                          マージナル部
【図１】
0006432309.tif 000002
【図２】
0006432309.tif 000003
【図３】
0006432309.tif 000004
【図４】
0006432309.tif 000005
【図５】
0006432309.tif 000006
【図６】
0006432309.tif 000007
【図７】
0006432309.tif 000008
【図８】
0006432309.tif 000009
【図９】
0006432309.tif 000010
【図１０】
0006432309.tif 000011
【図１１】
0006432309.tif 000012
【図１２】
0006432309.tif 000013